(57)【特許請求の範囲】
【請求項１】
水、湯、及び混合水を吐出する吐水口（２３）を、水栓本体（２０）から延出するスパウト（３０）から取り外して吐水可能とし、該吐水口（２３）に混合水を供給するシャワーホース（１４）を、該スパウト（３０）及び水栓本体（２０）の内部に摺動自在に嵌通し、また、浄水を吐出する浄水吐水口（２４ａ）を前記スパウト（３０）に設け、該浄水吐水口（２４ａ）からの浄水の吐水と止水とを切り換える切換弁（２９）を、前記水栓本体（２０）に設け、該切換弁（２９）は、前記水栓本体（２０）におけるスパウト（３０）配設部より上方に取り付け配置し、前記水栓本体（２０）は、下部の支持部材（２０ｃ）と上端部の流動管体（２０ｂ）とで構成し、前記スパウト（３０）は、スパウト本体（２２）とスパウトジョイント（２４）とで構成し、該スパウト本体（２２）は水栓本体（２０）の支持部材（２０ｃ）に回転自在に嵌合し、前記支持部材（２０ｃ）の外周を被覆し、該スパウト本体（２２）の上方の流動管体（２０ｂ）の周囲に水栓本体カバー（６１）を嵌装し、該水栓本体カバー（６１）は流動管体（２０ｂ）に対して上下摺動自在で、該流動管体（２０ｂ）の外周を被覆し、該水栓本体（２０）の上方には、吐水、止水、及び吐水量の調節と、吐水の温度調節を行うカートリッジ（３１）を配設し、該カートリッジ（３１）のカートリッジ押さえ（２７）を、前記水栓本体（２０）の流動管体（２０ｂ）に螺嵌固定し、該カートリッジ押さえ（２７）を取り外すことにより、該流動管体（２０ｂ）に嵌装した水栓本体カバー（６１）と、前記支持部材（２０ｃ）に嵌装したスパウト本体（２２）を上下方向に摺動可能としたことを特徴とする複合シャワー水栓。
【請求項２】
請求項１記載の複合シャワー水栓において、前記切換弁（２９）は、前記流動管体（２０ｂ）及び水栓本体カバー（６１）の側面方向から、該流動管体（２０ｂ）へ嵌入すべく構成し、該流動管体（２０ｂ）に螺装する弁ホルダ（６２）を介して流動管体（２０ｂ）に切換弁（２９）を取り付け、該弁ホルダ（６２）の外側から六角ナット（６３）を螺嵌することで、該切換弁（２９）を流動管体（２０ｂ）内に固定したことを特徴とする複合シャワー水栓。
【請求項３】
請求項１記載の複合シャワー水栓において、前記吐水口（２３）は、吐水を行う吐水口本体（２３ｂ）とジョイント（２５）とにより構成し、該ジョイント（２５）を、前記スパウト（３０）の先端部に連結固定したスパウトジョイント（２４）に嵌合して固定可能とし、該スパウトジョイント（２４）の下面に前記浄水吐水口（２４ａ）を開口し、該浄水吐水口（２４ａ）の近傍は、他の部分よりも外側に突出させて突出部（２４ｆ）を形成し、前記ジョイント（２５）の下面には、前記突出部（２４ｆ）の形状を合わせた切り欠き部（２５ａ）を形成し、該ジョイント（２５）をスパウトジョイント（２４）に固定嵌合した時に、該切り欠き部（２５ａ）と突出部（２４ｆ）とが係合すべく構成したことを特徴とする複合シャワー水栓。
【発明の詳細な説明】
【０００１】
【発明の属する技術分野】
本発明は、例えば、水、湯、及び混合水を吐水する吐水口と、浄水を吐水する吐水口とを備えた、複合型混合水栓に係り、特に、水、湯、及び混合水を吐水する吐水口を、直流吐水と散水吐水とに切換え可能に構成して、該吐水口を水栓本体に着脱可能に取り付けた複合シャワー水栓に関する。
【０００２】
【従来の技術】
従来から、水、湯、及び、水と湯との混合水を吐水可能に構成し、例えば、シングルレバーを操作して、湯水の吐水、止水、及び吐水温度の調節を行う混合水栓に、浄水器で浄化した浄水をも吐水させ、該浄水の吐水及び止水を切換弁にて切り換えるよう構成した複合式混合水栓は公知となっている。
そして、該切換弁は、吐水口を支持している水栓本体の、吐水口より下方の部分に取り付けられ、また、水栓本体に嵌装したスパウトは、該水栓本体の上方から嵌脱可能に構成されていた。
また、水、湯、及び水と湯との混合水を吐水可能に構成し、例えば、シングルレバーを操作して、湯水の吐水、止水、及び吐水温度の調節を行う混合水栓の吐水口を、直流吐水と散水吐水とに切換え可能に構成し、該吐水口を前記スパウトに着脱可能に取り付けたシャワー水栓は公知となっている。
【０００３】
【発明が解決しようとする課題】
しかし、前述のように着脱可能なシャワー水栓においては、浄水器で浄化した浄水が吐水できる機能を有していなかった。
このため、これらの複合式混合水栓とシャワー水栓との機能を同時に満たすためには、例えば、前述のシャワー水栓に加えて、浄水を吐出するための浄水専用水栓を併設する必要があった。また、複合式混合水栓とシャワー水栓との機能を同時に満たす水栓を一体的に構成しようとした場合には、浄水の切換弁が水栓本体の吐水口の支持部より下方に配設されていたので、吐水口へ給水するシャワーホースを水栓本体内に嵌通させることができなかったり、嵌通させたとしても、水栓本体が大径になって大型化してしまっていた。
そこで、本発明においては、これらの機能を同時に満たす複合式シャワー水栓を、一体的に、また、コンパクトに構成するものである。
【０００４】
【課題を解決するための手段】
本発明の解決しようとする課題は以上の如くであり、次に該課題を解決するための手段を説明する。
請求項１においては、水、湯、及び混合水を吐出する吐水口（２３）を、水栓本体（２０）から延出するスパウト（３０）から取り外して吐水可能とし、該吐水口（２３）に混合水を供給するシャワーホース（１４）を、該スパウト（３０）及び水栓本体（２０）の内部に摺動自在に嵌通し、また、浄水を吐出する浄水吐水口（２４ａ）を前記スパウト（３０）に設け、該浄水吐水口（２４ａ）からの浄水の吐水と止水とを切り換える切換弁（２９）を、前記水栓本体（２０）に設け、該切換弁（２９）は、前記水栓本体（２０）におけるスパウト（３０）配設部より上方に取り付け配置し、前記水栓本体（２０）は、下部の支持部材（２０ｃ）と上端部の流動管体（２０ｂ）とで構成し、前記スパウト（３０）は、スパウト本体（２２）とスパウトジョイント（２４）とで構成し、該スパウト本体（２２）は水栓本体（２０）の支持部材（２０ｃ）に回転自在に嵌合し、前記支持部材（２０ｃ）の外周を被覆し、該スパウト本体（２２）の上方の流動管体（２０ｂ）の周囲に水栓本体カバー（６１）を嵌装し、該水栓本体カバー（６１）は流動管体（２０ｂ）に対して上下摺動自在で、該流動管体（２０ｂ）の外周を被覆し、該水栓本体（２０）の上方には、吐水、止水、及び吐水量の調節と、吐水の温度調節を行うカートリッジ（３１）を配設し、該カートリッジ（３１）のカートリッジ押さえ（２７）を、前記水栓本体（２０）の流動管体（２０ｂ）に螺嵌固定し、該カートリッジ押さえ（２７）を取り外すことにより、該流動管体（２０ｂ）に嵌装した水栓本体カバー（６１）と、前記支持部材（２０ｃ）に嵌装したスパウト本体（２２）を上下方向に摺動可能としたものである。
【０００５】
請求項２においては、請求項１記載の複合シャワー水栓において、前記切換弁（２９）は、前記流動管体（２０ｂ）及び水栓本体カバー（６１）の側面方向から、該流動管体（２０ｂ）へ嵌入すべく構成し、該流動管体（２０ｂ）に螺装する弁ホルダ（６２）を介して流動管体（２０ｂ）に切換弁（２９）を取り付け、該弁ホルダ（６２）の外側から六角ナット（６３）を螺嵌することで、該切換弁（２９）を流動管体（２０ｂ）内に固定したものである。
【０００６】
請求項３においては、請求項１記載の複合シャワー水栓において、前記吐水口（２３）は、吐水を行う吐水口本体（２３ｂ）とジョイント（２５）とにより構成し、該ジョイント（２５）を、前記スパウト（３０）の先端部に連結固定したスパウトジョイント（２４）に嵌合して固定可能とし、該スパウトジョイント（２４）の下面に前記浄水吐水口（２４ａ）を開口し、該浄水吐水口（２４ａ）の近傍は、他の部分よりも外側に突出させて突出部（２４ｆ）を形成し、前記ジョイント（２５）の下面には、前記突出部（２４ｆ）の形状を合わせた切り欠き部（２５ａ）を形成し、該ジョイント（２５）をスパウトジョイント（２４）に固定嵌合した時に、該切り欠き部（２５ａ）と突出部（２４ｆ）とが係合すべく構成したものである。
【０００７】
【発明の実施の形態】
次に、本発明の実施の形態を説明する。図１は本発明の複合シャワー水栓を設置したキッチンのシンクを示す側面図、図２は本発明の複合シャワー水栓を示す斜視図、図３は同じく吐水口をスパウトから取り外した状態の複合シャワー水栓を示す斜視図、図４は吐水口とスパウトとの嵌合状態を示す斜視図、図５は複合シャワー水栓を示す側面断面図、図６は水栓本体を示す図、図７は図６におけるＡ−Ａ断面を示す図、図８はスパウトのスパウト本体を示す正面断面図、図９は同じくスパウト本体の排出孔部分を示す正面断面図である。
【０００８】
まず、本発明の複合シャワー水栓を配置したキッチンのシンク内部について、図１により説明する。キッチンのカウンター天板１に複合シャワー水栓２が取り付けられ、該カウンター天板１の手前下方にはシンク３が配設されている。該シンク３の底部には排水ホース４が連通され、通常収納空間とされている該シンク３の下方の空間には、水道水を浄化する浄水器カートリッジ５が収納されている。また、シンク３の下方の壁には、水、又は、湯を供給する給水口に連結された止水栓６・７が取り付けられている。
【０００９】
止水栓６には給水管１１が、止水栓７には給湯管１２が、水の逆流を防止する逆止弁８を介して連結され、該給水管１１及び給湯管１２は、複合シャワー水栓２に下端から嵌入して、該複合シャワー水栓２に水及び湯を供給している。また、前記浄水器カートリッジ５と、複合シャワー水栓２とは、浄化用水供給管１５及び浄水供給管１６によって連結され、複合シャワー水栓２から水道水を、浄化用水供給管１５を通じて浄水器カートリッジ５へ供給して、該浄水器カートリッジ５で浄化した後に、浄水を浄水供給管１６によって複合シャワー水栓２へ供給するように構成している。複合シャワー水栓２の下端からは混合水管１３が延出して、該混合水管１３の先端はシャワーホース１４の一端と連結し、該シャワーホース１４は複合シャワー水栓２内へ嵌入して、他端は水、湯、又は混合水を吐水する吐水口２３と接続されている。
【００１０】
図２乃至図４において、複合シャワー水栓２の上端部にはシングルレバー２１が配設されて、該シングルレバー２１を上下左右に操作することで、水栓本体２０から延出したスパウト３０の先端部に取り付けた吐水口２３から、水、湯、又は混合水の吐水、止水を行ったり、吐水の温度調節を行うよう構成している。吐水口２３からの吐水は、通常の直流吐水と、シャワー状に吐出する散水吐水とに切換えることができ、この切換えは、吐水口２３先端部に設けた吐水切換スイッチ２３ａの操作により行う。
【００１１】
また、スパウト３０は、スパウト本体２２とスパウトジョイント２４とで構成され、該スパウト本体２２は水栓本体２０に回転自在に嵌合して、該スパウト本体２２の先端部にスパウトジョイント２４を連結している。スパウトジョイント２４先端部の下面には浄水吐水口２４ａを設けて、該浄水吐水口２４ａから浄水器カートリッジ５により浄化された水道水を吐水するようにしている。スパウト本体２２の上方における水栓本体２０内には、浄水の吐水と止水とを切換える切換弁が配設され、切換弁には該切換弁を操作する切換弁操作レバー２８を取り付けている。そして、水栓本体２０のスパウト本体２２配設部より上方は、水栓本体カバー６１によって覆われている。
【００１２】
前記吐水口２３はスパウト３０に着脱可能に取り付けられており、図３に示すように、吐水口２３をスパウト３０から取り外して吐水することができる。そして、吐水口２３に水、湯、又は混合水を供給するシャワーホース１４は、スパウト３０及び水栓本体２０の内部を、摺動自在に嵌通している。吐水口２３は、吐水を行う吐水口本体２３ｂとジョイント２５とで構成され、該吐水口２３の後部に位置するジョイント２５を、スパウト３０のスパウトジョイント２４に嵌合して、該スパウト３０へ取り付けている。スパウトジョイント２４下面の浄水吐水口２４ａ近傍は、他の部分よりも外側に突出させて突出部２４ｆを形成している。一方、吐水口２３後部のジョイント２５下面には、前記突出部２４ｆに形状を合わせた切り欠き部２５ａを形成して、ジョイント２５をスパウトジョイント２４に嵌合したときに、該切り欠き部２５ａと突出部２４ｆとが係合するようにしている。
【００１３】
このように、切り欠き部２５ａと突出部２４ｆとを係合させて、ジョイント２５をスパウトジョイント２４に嵌合することで、浄水吐水口２２ｃの吐水方向と、吐水口２３の吐水方向とを、同一方向に揃えることができるので、本水栓を使用する際の勝手が良くなり、また、スパウト３０に配設した浄水吐水口２２ｃにも違和感を感じることがなく、優れたデザインの複合シャワー水栓２を構成することができる。また、ジョイント２５をスパウトジョイント２４に嵌合して取り付けた場合に、前記切り欠き部２５ａと突出部２４ｆとの係合部や、該吐水口２３の外周とスパウト３０の外周との間に、隙間や段差が生じないように構成しており、スパウト３０に装着した吐水口２３と、該スパウト３０とが一体的に見えるようにしている。その結果、外観的に美しく、優れたデザインの複合シャワー水栓２を構成することができる。そして、前記の切り欠き部２５ａと突出部２４ｆとが係合することにより、スパウト３０へ取り付けた吐水口２３の吐水方向を常に一定方向へ固定することができるのである。
【００１４】
次に、図５乃至図７により、複合シャワー水栓２の吐水機構について説明する。水栓本体２０は、支持部材２０ｃの上方に流動管体２０ｂを連結して構成している。支持部材２０ｃは、側壁が一部欠けた略パイプ状に形成され、該支持部材２０ｃ内にはシャワーホース通路２０ａが形成されている。流動管体２０ｂには、水が流動する水流動管５１や湯が流動する湯流動管５２などが形成され、また、浄水の吐水と止水とを切り換える切換弁２９が着脱可能に内蔵されている。
【００１５】
水栓本体２０の上方には、吐水、止水、及び吐水量の調節や、吐水の温度調節を行うセラミックカートリッジ３１が配設され、該セラミックカートリッジ３１は、カートリッジ押さえ２７を水栓本体２０の流動管体２０ｂに螺嵌することで、水栓本体２０上端に固定されている。また、セラミックカートリッジ３１上端部から上方に突出しているスピンドル３１ａには、シングルレバー２１が固設されて、セラミックカートリッジ３１を操作するように構成している。
【００１６】
図７に示すように、水栓本体２０の支持部材２０ｃに形成されたシャワーホース通路２０ａ内には、シャワーホース１４が嵌通している。該支持部材２０ｃ内には、前記切換弁２９などの収納物がないので、支持部材２０ｃ内に、シャワーホース１４が嵌通するシャワーホース通路２０ａを形成しても、該支持部材２０ｃを小径に形成することができ、複合シャワー水栓をコンパクトに構成することができる。そして、シャワーホース１４の周囲には、前記給湯管１２、浄水供給管１６、混合水管１３、浄化用水供給管１５、及び給水管１１が嵌通している。支持部材２０ｃの上部に連結された前記流動管体２０ｂには水流路５１及び湯流路５２が形成され、該水流路５１下端の連結部５１ｃには給水管１１が連結され、湯流路５２下端の連結部５２ｃには給湯管１２が連結されている。また、流動管体２０ｂには、混合水流路及び浄化用水流路５５が形成されて、それぞれ混合水管及１３び浄化用水供給管１５と連結されている。
【００１７】
そして、水が給水管１１から水流路５１へ供給され、また、湯が給湯管１２から湯流路５２へ供給されて、水及び湯は、水流路５１内、及び湯流路５２内を上方へ流動する。水流路５１内、及び湯流路５２内を上方へ流動した水及び湯は、該水流路５１、及び給湯管１２上端部に形成された水溜まり部５１ａ及び湯溜まり部５２ａに溜まる。この状態において、水溜まり部５１ａ及び湯溜まり５２ａ部の上方に配設したセラミックカートリッジ３１を操作すると、該カートリッジ３１により設定された吐水量や吐水温度に応じた量の水と湯とが、水溜まり部５１ａ及び湯溜まり部５２ａの水湯供給口５１ｂ・５２ｂからセラミックカートリッジ３１内へ浸入する。
【００１８】
セラミックカートリッジ３１内へ浸入した水と湯とは、該カートリッジ３１内で混合されて、その後、カートリッジ３１内から、流動管体２０ｂに形成された混合水流路へ供給される。混合水流路へ供給された混合水は、該混合水流路内を下方に流動して混合水管１３へ受け継がれ、該混合水管１３と連結したシャワーホース１４へ案内される。前記シャワーホース通路２０ａを嵌通するシャワーホース１４は、更に、スパウト本体２２に形成したホース通路２２ｂとスパウトジョイント２４に形成したホース通路２４ｃとを嵌通して、吐水口２３に連結されている。
【００１９】
そして、シャワーホース１４へ案内された混合水は、シャワーホース１４内を流動して吐水口２３の吐水口本体２３ｂから吐出される。吐水口本体２３ｂからの吐水は、吐水量及び吐水温度をシングルレバー２１の操作により調節することができるが、これは、シングルレバー２１を操作することでセラミックカートリッジ３１が操作され、該セラミックカートリッジ３１内に浸入する水と湯との量が変化するためである。
【００２０】
前記水流路５１には、図６に示す連絡流路５１ｄが分岐して形成され、前記切換弁２９に連結されている。そして、切換弁２９には、浄化用水流路５５を連結して、該切換弁２９を開くと、連絡流路５１ａと浄化用水流路５５とが連通し、該切換弁２９を閉じると連絡流路５１ａと浄化用水流路５５とが分断されるように構成している。図６においては切換弁２９が開いた状態を示しており、水流路５１内を流動する水が、連絡流路５１ａと切換弁２９とを通じて、浄化用水流路５５へ浸入する。浄化用水流路５５へ浸入した水は、浄化用水として、浄化用水供給管１５を通じて浄水器カートリッジ５へ案内される。
【００２１】
浄水器カートリッジ５へ案内された浄化用水は、該浄水器カートリッジ５で浄化されて浄水となり、浄水供給管１６から、水栓本体２０の支持部材２０ｃに形成された浄水流路５６へ案内される。さらにこの浄水は、浄水流路５６から連絡路５６ａを介して、支持部材２０ｃに嵌合するスパウト本体２２内に形成された浄水通路２２ａヘ受け継がれる。スパウト本体２２内の浄水通路２２ａを流動する浄水は、その後、スパウト本体２２先端部に連結したスパウトジョイント２４内の浄水通路２４ｂへ受け継がれて、該スパウトジョイント２４下面に設けた浄水吐水口２４ａから吐出される。
【００２２】
前記流動管体２０ｂは、前述のように、支持部材２０ｃの上端部に連結されて、該支持部材２０ｃと流動管体２０ｂとで水栓本体２０を構成している。支持部材２０ｃにはスパウト本体２２が嵌装して、該支持部材２０ｃの外周を覆っている。また、スパウト本体２２の上方には水栓本体カバー６１を配設し、該水栓本体カバー６１は流動管体２０ｂに上下摺動自在に嵌装して、該流動管体２０ｂの外周を覆っている。流動管体２０ｂ内には前記切換弁２９が配設され、該切換弁２９は流動管体２０ｂ及び水栓本体カバー６１の側面方向から、該流動管体２０ｂへ嵌入している。そして、切換弁２９は、流動管体２０ｂに螺嵌した弁ホルダ６２を介して、該流動管体２０ｂに取り付けられ、該弁ホルダ６２の外側から六角ナット６３を螺嵌することで、切換弁２９を流動管体２０ｂ内に固定している。また、切換弁２９の、流動管体２０ｂより外部に突出した部分には、ビスなどを用いて切換弁操作レバー２８を取付固定し、該切換弁操作レバー２８により切換弁２９を操作するようにしている。
【００２３】
切換弁２９は、流動管体２０ｂに着脱可能に取り付けられており、該切換弁２９が劣化したり、故障した場合などには交換できるように構成している。切換弁２９を流動管体２０ｂから取り外す場合は、切換弁２９から切換弁操作レバー２８を取り外し、弁ホルダ６２から六角ナット６３を取り外した後に、切換弁２９を取り出せばよい。
【００２４】
この切換弁２９を流動管体２０ｂから取り外した状態において、該流動管体２０ｂに螺嵌している弁ホルダ６２、及び流動管体２０ｂ上端部に螺嵌したカートリッジ押さえ２７を取り外すと、流動管体２０ｂに嵌装している水栓本体カバー６１が上下方向に摺動可能となる。そして、水栓本体カバー６１を上方に抜き去ると、該水栓本体カバー６１の下方で、支持部材２０ｃに嵌装したスパウト本体２２が上下方向に摺動可能となり、水栓本体カバー６１と同様に、水栓本体２０から上方へ抜き去ることができるように構成している。
【００２５】
従来のように水栓本体を全て鋳物で構成した複合水栓において、切換弁を水栓本体のスパウト配設部より上方に配設した場合には、スパウトは水栓本体の下方からしか抜き去ることができなくなり、例えば、スパウトと水栓本体との間に介装したパッキング部材を交換する場合などは、一旦複合水栓を、キッチンのカウンターから取り外した後に交換を行わなければならず、作業が煩雑になる。それに対して、前述のように、水栓本体２０の支持部材２０ｃに嵌装したスパウト３０のスパウト本体２２を、水栓本体２０の上方から嵌脱可能に構成すると、例えば、スパウト本体２２と支持部材２０ｃとの間に介装したパッキング部材６５・６５・６５を交換する場合などに、水栓本体２０をキッチンのカウンターなどに設置したままでも、スパウト本体２２を水栓本体２０の上方へ抜き去って交換することができるので、このパッキング部材６５・６５・６５の交換などの作業が簡便になって、手軽に行えることとなる。
【００２６】
そして、前記流動管体２０ｂの外周は水栓本体カバー６１によって覆われ、また、支持部材２０ｃの外周はスパウト本体２２により覆われており、通常本水栓を使用するときには外から見えないので、該流動管体２０ｂ外周面に、化粧用のメッキを施す必要がない。これにより、複合シャワー水栓を低コストで構成することができ、また、鋳物などにより形成される支持部材２０ｃ及び流動管体２０ｂを、高い歩留りで得ることができる。
【００２７】
次に、吐水口２３及びスパウト３０について説明する。スパウト３０は前述のように、水栓本体２０に回転自在に嵌装されたスパウト本体２２と、該スパウト本体２２の先端部に連結されたスパウトジョイント２４とで構成されている。スパウト本体２２にはホース通路２２ｂ及び浄水通路２２ａが形成され、スパウトジョイント２４にはホース通路２４ｃ及び浄水通路２４ｂが形成されている。スパウト本体２２のホース通路２２ｂは、図８に示すように正面視において略円形に形成され、浄水通路２２ａは正面視において略円弧状に形成されて、ホース通路２２ｂの外周を囲むように配置されている。また、スパウトジョイント２４のホース通路２４ｃ及び浄水通路２４ｂも同様の形状に形成されている。尚、浄水通路２２ａ・２４ｂは、ホース通路２２ｂ・２４ｃの全周囲を囲む略リング状に形成することもできる。
【００２８】
図５において、スパウトジョイント２４のホース通路２４ｃの嵌合部外周と、スパウト本体２２のホース通路２２ｂの嵌合部内周との間にはオーリング４２を介装し、スパウトジョイント２４の浄水通路２４ｂの嵌合部外周と、スパウト本体２２の浄水通路２２ａの、嵌合部内周との間にはオーリング４１を介装して、各通路の連結部をシールしている。このオーリング４１はオーリング４２よりも大径に形成して、両オーリング４１・４２は正面視において、その中心をお互いに偏心させて配置している。
【００２９】
このように、スパウト本体２２及びスパウトジョイント２４のホース通路２２ｂ・２４ｃの外周を囲むように浄水通路２２ａ・２４ｂを形成し、また、オーリング４１をオーリング４２よりも大径に形成して、両オーリング４１・４２を正面視において、その中心をお互いに偏心させて配置しているので、ホース通路２２ｂ・２４ｃと浄水通路２２ａ・２４ｂとの両方を形成しているのにもかかわらず、スパウト本体２２及びスパウトジョイント２４の径を小さく構成することができるとともに、ホース通路２２ｂ・２４ｃと浄水通路２２ａ・２４ｂとを確実に分離することができる。
【００３０】
また、スパウト３０内のホース通路２２ｂ下面には、図９に示すように排出孔２２ｃを設けてあり、該排出孔２２ｃは前記浄水通路２２ａを貫通してスパウト３０（スパウト本体２２）外部と連通している。この排出孔２２ｃにより、シャワーホース１４に付着した水などが、スパウト３０内に浸入してきても、該排出孔２２ｃから外部へ排出できるように構成している。また、この排出孔２２ｃは、該排出孔２２ｃから排出された水が、シンク内に落下する位置に配置されているので、水の受皿などを設ける必要がない。
【００３１】
吐水口２３は、前述のように、吐水口本体２３ｂとジョイント２５とで構成されており、該吐水口本体２３ｂには吐水切換スイッチ２３ａを設けて、吐水口本体２３ｂからの吐水を直流吐水と散水吐水とに切り換えるように構成している。  吐水口本体２３ｂには、該吐水口本体２３ｂに水、湯、又は混合水を供給するシャワーホース１４が、ジョイント部材４４を介して連結されている。吐水口本体２３ｂにシャワーホース１４が連結されている連結部よりも、水栓本体２０側において、吐水口２３をスパウト３０に取り付けるジョイント２５が、吐水口本体２３ｂに嵌合固定されている。
【００３２】
そして、ジョイント２５は、前述のようにスパウト３０のスパウトジョイント２４に嵌合するように形成され、ジョイント２５がスパウトジョイント２４に嵌合取り付けされた状態で、前記ジョイント部材４４がスパウトジョイント２４のホース通路２４ｃ内に入り込まないように構成している。このように、シャワーホース１４より大径のジョイント部材４４が、ホース通路２４ｃ内に入り込まないように構成しているので、該ホース通路２４ｃを小径に形成することができる。また、吐水口本体２３ｂとジョイント２５とを分割可能に構成しているので、パッキング部材４６の交換などの修理や、メンテナンスを容易に行うことができる。
【００３３】
【発明の効果】
本発明は以上の如く構成したので、次のような効果を奏するのである。
水、湯、及び混合水を吐出する吐水口（２３）を、水栓本体（２０）から延出するスパウト（３０）から取り外して吐水可能とし、該吐水口（２３）に混合水を供給するシャワーホース（１４）を、該スパウト（３０）及び水栓本体（２０）の内部に摺動自在に嵌通し、また、浄水を吐出する浄水吐水口（２４ａ）を前記スパウト（３０）に設け、該浄水吐水口（２４ａ）からの浄水の吐水と止水とを切り換える切換弁（２９）を、前記水栓本体（２０）に設け、該切換弁（２９）は、前記水栓本体（２０）におけるスパウト（３０）配設部より上方に取り付け配置し、前記水栓本体（２０）は、下部の支持部材（２０ｃ）と上端部の流動管体（２０ｂ）とで構成し、前記スパウト（３０）は、スパウト本体（２２）とスパウトジョイント（２４）とで構成し、該スパウト本体（２２）は水栓本体（２０）の支持部材（２０ｃ）に回転自在に嵌合し、前記支持部材（２０ｃ）の外周を被覆し、該スパウト本体（２２）の上方の流動管体（２０ｂ）の周囲に水栓本体カバー（６１）を嵌装し、該水栓本体カバー（６１）は流動管体（２０ｂ）に対して上下摺動自在で、該流動管体（２０ｂ）の外周を被覆し、該水栓本体（２０）の上方には、吐水、止水、及び吐水量の調節と、吐水の温度調節を行うカートリッジ（３１）を配設し、該カートリッジ（３１）のカートリッジ押さえ（２７）を、前記水栓本体（２０）の流動管体（２０ｂ）に螺嵌固定し、該カートリッジ押さえ（２７）を取り外すことにより、該流動管体（２０ｂ）に嵌装した水栓本体カバー（６１）と、前記支持部材（２０ｃ）に嵌装したスパウト本体（２２）を上下方向に摺動可能としたので、吐水口から、水、湯、及び、水と湯との混合水を吐水する機能と、該吐水口からの吐水を直流吐水と散水吐水とに切換える機能と、該吐水口をスパウトに装着したままで吐水する機能と、吐水口を水栓本体から取り外して広範囲に吐水する機能と、浄水吐水口から浄水を吐水する機能とを備えた複合シャワー水栓を、一体で構成することができた。
また、浄水吐水口（２４ａ）からの浄水の吐水と止水とを切り換える切換弁（２９）を、前記水栓本体（２０）に設け、該切換弁（２９）は、前記水栓本体（２０）におけるスパウト（３０）配設部より上方に取り付け配置したので、セラミックカートリッジ（３１）や切換弁（２９）等の水圧の掛かる水経路部分を水栓本体（２０）の上方に集中配置することが出来たのである。
また、水栓本体（２０）の外側をスパウト本体（２２）や水栓本体カバー（６１）で被覆したので、鋳物により構成される水栓本体（２０）外周面に、化粧用のメッキを施す必要がなく、スパウト（３０）と水栓本体カバー（６１）とカートリッジ押さえ（２７）に化粧を施せば済むので、複合シャワー水栓を低コストで構成することができる。
また、鋳物などにより形成される水栓本体（２０）の支持部材（２０ｃ）と流動管体（２０ｂ）の外周の見栄えを良くする必要が無いので、鋳物部品を、高い歩留りで製造し得ることができた。
【００３４】
さらに、請求項２記載の如く、前記切換弁（２９）は、前記流動管体（２０ｂ）及び水栓本体カバー（６１）の側面方向から、該流動管体（２０ｂ）へ嵌入すべく構成し、該流動管体（２０ｂ）に螺装する弁ホルダ（６２）を介して流動管体（２０ｂ）に切換弁（２９）を取り付け、該弁ホルダ（６２）の外側から六角ナット（６３）を螺嵌することで、該切換弁（２９）を流動管体（２０ｂ）内に固定したので、前記切換弁を、水栓本体のスパウト配設部より上方に配置したにも係わらず、水栓本体をキッチンのカウンターなどに設置したままでスパウトを水栓本体の上方へ抜き去って、パッキング部材の交換やメンテナンスを行うことができ、これらの作業が簡便になって、手軽に行えることとなった。
【００３５】
請求項３記載の如く、前記吐水口（２３）は、吐水を行う吐水口本体（２３ｂ）とジョイント（２５）とにより構成し、該ジョイント（２５）を、前記スパウト（３０）の先端部に連結固定したスパウトジョイント（２４）に嵌合して固定可能とし、該スパウトジョイント（２４）の下面に前記浄水吐水口（２４ａ）を開口し、該浄水吐水口（２４ａ）の近傍は、他の部分よりも外側に突出させて突出部（２４ｆ）を形成し、前記ジョイント（２５）の下面には、前記突出部（２４ｆ）の形状を合わせた切り欠き部（２５ａ）を形成し、該ジョイント（２５）をスパウトジョイント（２４）に固定嵌合した時に、該切り欠き部（２５ａ）と突出部（２４ｆ）とが係合すべく構成したので、切り欠き部２５ａと突出部２４ｆとを係合させて、ジョイント２５をスパウトジョイント２４に嵌合することで、浄水吐水口２２ｃの吐水方向と、吐水口２３の吐水方向とを、同一方向に揃えることができるので、本水栓を使用する際の勝手が良くなり、また、スパウト３０に配設した浄水吐水口２２ｃにも違和感を感じることがなく、優れたデザインの複合シャワー水栓２を構成することができる。
また、ジョイント２５をスパウトジョイント２４に嵌合して取り付けた場合に、前記切り欠き部２５ａと突出部２４ｆとの係合部や、該吐水口２３の外周とスパウト３０の外周との間に、隙間や段差が生じないように構成しており、スパウト３０に装着した吐水口２３と、該スパウト３０とが一体的に見えるようにしている。その結果、外観的に美しく、優れたデザインの複合シャワー水栓２を構成することができる。
そして、前記の切り欠き部２５ａと突出部２４ｆとが係合することにより、スパウト３０へ取り付けた吐水口２３の吐水方向を常に一定方向へ固定することができるのである。  また、吐水口をスパウトに装着した際に、シャワーホースが邪魔になったり、絡まったりすることがなく、また、すっきりした外観とすることができて優れたデザインの複合シャワー水栓が構成でき、該複合シャワー水栓の水栓本体を小径に形成することができて、複合シャワー水栓をコンパクトに構成することができた。
【図面の簡単な説明】
【図１】  本発明の複合シャワー水栓を設置したキッチンのシンクを示す側面図である。
【図２】  本発明の複合シャワー水栓を示す斜視図である。
【図３】  同じく吐水口をスパウトから取り外した状態の複合シャワー水栓を示す斜視図である。
【図４】  吐水口とスパウトとの嵌合状態を示す斜視図である。
【図５】  複合シャワー水栓を示す側面断面図である。
【図６】  水栓本体を示す図である。
【図７】  図６におけるＡ−Ａ断面を示す図である。
【図８】  スパウトのスパウト本体を示す正面断面図である。
【図９】  同じくスパウト本体の排出孔部分を示す正面断面図である。
【符号の説明】
２０  水栓本体
２０ａ  シャワーホース通路
２０ｂ  水流管体
２０ｃ  支持部材
２１  シングルレバー
２２  スパウト本体
２３  吐水口
２４  スパウトジョイント
２４ａ  浄水吐水口
２７  カートリッジ押さえ
２８  切換弁操作レバー
２９  切換弁
３０  スパウト
３１  セラミックカートリッジ
６１  水栓本体カバー
６２  弁ガイド
６３  六角ナット
６５  パッキング部材
【図１】
0003935242.tif 000002
【図２】
0003935242.tif 000003
【図３】
0003935242.tif 000004
【図４】
0003935242.tif 000005
【図５】
0003935242.tif 000006
【図６】
0003935242.tif 000007
【図７】
0003935242.tif 000008
【図８】
0003935242.tif 000009
【図９】
0003935242.tif 000010